(57)【特許請求の範囲】
【請求項１】
上面が開口する外枠と、該外枠の内方に設けられ、上面が開口する内枠との間に形成される冷気循環用通路内に、送風機と冷却器とを配設し、且つ内枠の背板に冷気吹出口を、前板に冷気吸込口を設けた冷蔵ショーケースにおいて、
前記内枠内における冷気吹出口下方に商品載置棚を配置すると共に、該商品載置棚の棚板に設けたブラケットに軸支された上下のローラが内枠の背板に設けられた上下のレールに案内され、前記商品載置棚が前下がりに傾斜した状態で移動可能に支持されていることを特徴とする冷凍・冷蔵ショーケース。
【請求項２】
前記商品載置棚は、少なくとも両側縁に上方に向けて立設するよう縁部材が設けられている請求項１に記載の冷凍・冷蔵ショーケース。
【発明の詳細な説明】
【０００１】
【発明の属する技術分野】
本発明は、冷凍・冷蔵食品などを陳列する平型の冷凍・冷蔵ショーケースに係り、特に庫内に陳列される多数の商品を効率良く取扱えるようにした冷凍・冷蔵ショーケースに関する。
【０００２】
【従来の技術】
従来、スーパーマーケット、コンビニエンスストア、デパート等の食品売場において、ショーケース本体の庫内容積を拡張して多量の冷凍・冷蔵商品を上下方向にストックし陳列して販売する冷凍・冷蔵ショーケースが使用されていた。
【０００３】
例えば、図４に示されるように、外枠０２によって周囲が囲まれた商品収納部０３を有する上部開放の冷凍・冷蔵ショーケース０１ａでは、商品収納部０３内に収容される多量の冷凍・冷蔵商品０４ａ、０４ｂ、０４ｃが、仕切り板０５、０６によって種類別に区分けして陳列されるようになっている。
【０００４】
また、図５に示されるような上部開放の冷凍・冷蔵ショーケース０１ｂでは、商品収納部０３内の全面に亘って多量の冷凍・冷蔵商品０８を収容し、それら商品の上方に商品棚０１０を配置してその商品棚０１０にも各種冷凍・冷蔵商品が陳列されるようになっている。
【０００５】
【発明が解決しようとする課題】
しかしながら、図４に示されるような従来のショーケース０１ａでは、商品収納部０３内の多量の冷凍・冷蔵商品０４ａ、０４ｂ、０４ｃは、仕切り板０５、０６によって区分けして陳列されるものの、各商品０４ａ、０４ｂ、０４ｃが上下に重ねて陳列されるため、下に位置する商品０４ａ、０４ｂ、０４ｃが隠れて顧客の視野に入らなくくなり、仕切り板０５、０６も顧客からの視野を狭くする問題を有している。
【０００６】
また、図５に示されるショーケース０１ｂでは、商品０８を仕切り板によって仕切らずに商品収納部０３内の全面に亘って陳列して顧客の視野を広げ、別の種類の商品０９を、上方に設置された商品棚０１０に陳列するようにしているが、顧客の視点Ｖ位置から視た商品棚０１０の下方に配置されている商品（ハッチング領域）は視野から外れてしまうばかりか、その位置に陳列される商品の取扱いが面倒なことから販売効率が低下する問題を有していた。
【０００７】
本発明は、上記問題点を解決するためになされたもので、多量の冷凍・冷蔵商品を、顧客に対する視野を広げるだけでなく、各種商品を効率良く陳列することができ延いてはこの種の商品の販売促進に寄与することができる冷凍・冷蔵ショーケースを提供することを目的としている。
【０００８】
【課題を解決するための手段】
上記の目的を達成するために、本発明の冷凍・冷蔵ショーケースは、上面が開口する外枠と、該外枠の内方に設けられ、上面が開口する内枠との間に形成される冷気循環用通路内に、送風機と冷却器とを配設し、且つ内枠の背板に冷気吹出口を、前板に冷気吸込口を設けた冷蔵ショーケースにおいて、
前記内枠内における冷気吹出口下方に商品載置棚を配置すると共に、該商品載置棚の棚板に設けたブラケットに軸支された上下のローラが内枠の背板に設けられた上下のレールに案内され、前記商品載置棚が前下がりに傾斜した状態で移動可能に支持されていることを特徴とする。
この特徴によれば、商品載置棚の移動によってその下方に陳列される商品を、顧客からの視野が制限されずに容易に目視することができ、各種商品を効率良く陳列することができる。また商品載置棚上に載置される冷凍食品や生鮮食料品等を所定冷却温度に維持することができる。更に顧客の視点から商品が見やすい前下がり状態になっている商品載置棚の移動に際しても安定支持させることができる。
【００１１】
上記冷凍・冷蔵ショーケースにおいて、前記商品載置棚が、少なくとも両側縁に上方に向けて立設するよう縁部材が設けられていることが好ましい。
このようにすれば、商品載置棚上に陳列された商品の落下を防止することができる。
【００１２】
【発明の実施の形態】
以下、本発明の一実施形態を図面に基づいて説明する。図１は本発明の第１実施形態としての商品載置棚を設けた冷凍・冷蔵ショーケースの断面図、図２は冷凍・冷蔵ショーケースに移動自在に設けられた商品載置棚の斜視図である。
【００１３】
先ず図１には、本発明の適用されたショーケースとして上面が開口する箱形の平型冷凍・冷蔵ショーケース１が示されている。
【００１４】
この冷凍・冷蔵ショーケース１は、上面が開口する外枠２と、この外枠２の内方に配置され上面が開口する内枠４とによって上部開放の箱形ケースとして形成され、外枠２と内枠４との間には冷気循環通路６ａ、６ｂ、６ｃが形成されると共に、この冷気循環通路６ａ、６ｂ、６ｃ６ｃ内には、図示しない送風機と冷却器Ｒが配置されている。
【００１５】
そこで、これら冷気循環経路６ａ、６ｂ、６ｃ内に設けられる図示しない送風機のファンを駆動させることで、商品収納部３の一方の内枠４上端縁に設けられた冷気吹出口Ｇ１から吹き出された冷気を、対向する他方の内枠４上端縁の冷気取込口Ｇ２から取り込んで冷却器Ｒにより更に冷却し、図中矢印方向に対流させて商品収納部３内の冷凍食品や生鮮食料品等を所定温度まで冷却できるようになっている。また、内枠４の所定箇所にも冷気循環経路６ａ、６ｂ、６ｃ内の冷気を商品収納部３内に向けて吹き出す図示しない複数の冷気吹出し口が配設されている。
【００１６】
さらに、冷凍・冷蔵ショーケース１の冷気吹出口Ｇ１から冷気取込口Ｇ２に向けて吹き出される冷気によって、商品収納部３の開口部にエアーカーテンが作り出され、商品収納部３内の冷気の拡散や外部からの熱侵入が防止され、商品収納部３内の温度が一定に保持されるようになっている。そして、商品収納部３を構成する内枠４内には所定高さ位置に商品載置棚Ｌ１が移動自在に設けられている。
【００１７】
この商品載置棚Ｌ１は、商品Ｗを多量に載置する矩形状の棚板１５と、この棚板１５下面の両側に取付けられ後端部の上下にそれぞれローラ１０ａ、１０ｂ及び１２ａ、１２ｂを軸支した一対のブラケット１４と、これらローラ１０ａ、１０ｂ及び１２ａ、１２ｂを転動可能に案内支持すべく内枠４の背板４ａの所定高さ位置に上下に並設された一対のレール８ａ、８ｂとから構成され、前下りに傾斜した状態で左右に移動自在に設けられている。
【００１８】
この商品載置棚Ｌ１は、冷気吹出口Ｇ１の下方に配設されており、棚板１５の両側縁上面ないし前縁上面には縁部材としてのフレーム１６が着脱自在に装着されている。
【００１９】
このように構成された冷凍・冷蔵ショーケース１の商品収納部３内全面に亘って多量の冷凍・冷蔵商品Ｗが収容されると、これら商品Ｗの上方に左右に移動可能に支持された商品載置棚Ｌ１の棚板１５にも別の種類の商品Ｗが載置される。そこで、顧客が商品載置棚Ｌ１の下方に陳列されている商品Ｗを視たい場合は、商品載置棚Ｌ１を左右に移動させて容易に視ることができる。
【００２０】
また、商品載置棚Ｌ１の移動によってその下方に陳列される商品Ｗを、顧客からの視野が制限されずに容易に目視することができ、各種商品Ｗを効率良く陳列することができる。
【００２１】
さらに、商品載置棚Ｌ１が、内枠４内における冷気吹出口Ｇ１の下方に配置されているので、商品載置棚Ｌ１上に載置される冷凍食品や生鮮食料品等を所定冷却温度に維持することができる。
【００２２】
商品載置棚Ｌ１を、レール８ａ、８ｂに移動可能に支持することにより、多段に重ねたり、傾斜させて各種形態で陳列しても、下方に配置される商品Ｗが目視不能となることがなく、冷凍・冷蔵商品Ｗの陳列効果を向上させることができ、延いてはこの種の商品Ｗの販売を促進することができる。
【００２３】
加えて、商品載置棚Ｌ１の前方ないし両側縁に縁部材が上方に向けて立設するよう縁部材としてのフレーム１６が着脱自在に装着されているので、商品載置棚Ｌ１上の商品Ｗの落下を防止することができる。
【００２４】
次に、本発明の第２実施形態につき図３を参照して説明する。図３は本発明の第２実施形態としての商品載置棚を設けた冷凍・冷蔵ショーケースの断面図である。なお、前記実施形態に係る構成部分と同一構成部分についは、同一符号を付し重複する説明を省略する。
【００２５】
図３において、符号Ｌ２は、本実施形態に係る商品載置棚を示し、この商品載置棚Ｌ２は、内枠４の背板４ａに加えて前板４ｂの所定高さ位置に平行に取付けられた一対のレール２４ａ、２４ｂと、これらレール２４ａ、２４ｂに転動可能に支持されるローラ２０ａ、２０ｂ及び２２ａ、２２ｂを前後に軸支した矩形状の棚板１８とから構成されている。
【００２６】
このように構成された商品載置棚Ｌ２には、冷凍・冷蔵ショーケース１の商品収納部３内全面に亘って陳列される多量の冷凍・冷蔵商品Ｗと共に、別の種類の冷凍・冷蔵商品Ｗが陳列される。
【００２７】
そこで、顧客が商品載置棚Ｌ２の下方に陳列されている商品Ｗを視たい場合は、商品載置棚Ｌ２を左右に移動させることで容易に視ることができる。
【００２８】
従って、このように商品載置棚Ｌ２は、内枠４の背板４ａならびに前板４ｂのレール２４ａ、２４ｂに前後両端が移動可能に支持されているので、強度上安定し多量の商品Ｗを載置して陳列することができる。なお、本実施形態の他の作用、効果は前述した第１実施形態と同一であり、その説明を省略する。
【００２９】
以上、本発明の実施例を図面により説明してきたが、具体的な構成はこれら実施例に限られるものではなく、本発明の要旨を逸脱しない範囲における変更や追加があっても本発明に含まれる。
【００３０】
【発明の効果】
本発明によれば、次のような効果が得られる。
【００３１】
（ａ）請求項１に記載の発明によれば、商品載置棚の移動によってその下方に陳列される商品を、顧客からの視野が制限されずに容易に目視することができ、各種商品を効率良く陳列することができる。また商品載置棚上に載置される冷凍食品や生鮮食料品等を所定冷却温度に維持することができる。更に顧客の視点から商品が見やすい前下がり状態になっている商品載置棚の移動に際しても安定支持させることができる。
【００３４】
（ｂ）請求項２に記載の発明によれば、商品載置棚上に陳列された商品の落下を防止することができる。
【図面の簡単な説明】
【図１】本発明の第１実施形態としての商品載置棚を設けた冷凍・冷蔵ショーケースの断面図である。
【図２】冷凍・冷蔵ショーケースに移動自在に設けられた商品載置棚の斜視図である。
【図３】本発明の第２実施形態としての商品載置棚を設けた冷凍・冷蔵ショーケースの断面図である。
【図４】従来の冷凍・冷蔵ショーケースの断面図である。
【図５】同じく、従来の冷凍・冷蔵ショーケースの断面図である。
【符号の説明】
１                  冷凍・冷蔵ショーケース
２                  外枠
３                  商品収納部
４                  内枠
４ａ                背板
４ｂ                前板
６ａ、６ｂ、６ｃ    冷気循環経路
８ａ、８ｂ          レール
１０ａ、１０ｂ      ローラ
１２ａ、１２ｂ      ローラ
１４                ブラケット
１５                棚板
１６                フレーム（縁部材）
１８                棚板
２０ａ、２０ｂ      ローラ
２２ａ、２２ｂ      ローラ
２４ａ、２４ｂ      レール
Ｇ１                冷気吹出口
Ｇ２                冷気取込口
Ｌ１、Ｌ２          商品載置棚
Ｒ                  冷却器
Ｖ                  視点
Ｗ                  冷凍・冷蔵商品
【図１】
0004865134.tif 000002
【図２】
0004865134.tif 000003
【図３】
0004865134.tif 000004
【図４】
0004865134.tif 000005
【図５】
0004865134.tif 000006